(57)【要約】【課題】  この発明は、チャンネルスキャンが行なわれた後に、それによって作成されたサービスリストを登録すべきエリアを選択できるようになる携帯型地上波デジタル放送受信機を提供することを目的とする。【解決手段】  チャンネルスキャンを行ってサービスリストを作成するとともにエリア情報を取得する第１手段、チャンネルスキャンが完了した後に、今回作成したサービスリストを登録すべきエリアをユーザに選択させるための選択画面を表示する第２手段、ならびに今回作成したサービスリストを、ユーザによって選択されたエリアに対応するサービスリストとして登録させる第３手段を備えている。【選択図】  図１
2006325032.tif 000002
【特許請求の範囲】
【請求項１】
チャンネルスキャンを行ってサービスリストを作成するとともにエリア情報を取得する第１手段、
チャンネルスキャンが完了した後に、今回作成したサービスリストを登録すべきエリアを、ユーザに選択させるための選択画面を表示する第２手段、ならびに
今回作成したサービスリストを、ユーザによって選択されたエリアに対応するサービスリストとして登録させる第３手段、
を備えていることを特徴とする携帯型地上波デジタル放送受信機。
【請求項２】
第２手段は、
エリアリストを記憶した記憶手段、
第１手段によって取得したエリア情報と同一のエリアのリスト（同一エリア）がエリアリスト内に存在するか否かを判別する第１判別手段、
エリアリストのうち、サービスリストが登録されていないエリア（空エリア）が存在するか否かを判別する第２判別手段、
同一エリアが存在しかつ空エリアが存在している場合には、今回作成したサービスリストを登録すべきエリアを、同一エリア内から選択するか、空きエリア内から選択するか、エリアリスト内の全てのエリア内から選択するかをユーザに決定させるための選択項目を表示させ、ユーザによって選択された選択項目に適合したエリアのリストを表示させ、そのリストからユーザに１つのエリアを選択させることにより、今回作成したサービスリストを登録すべきエリアをユーザに選択させる第１選択手段、
同一エリアが存在するが空エリアが存在していない場合には、今回作成したサービスリストを登録すべきエリアを、同一エリア内から選択するか、エリアリスト内の全てのエリア内から選択するかをユーザに決定させるための選択項目を表示させ、ユーザによって選択された選択項目に適合したエリアのリストを表示させ、そのリストからユーザに１つのエリアを選択させることにより、今回作成したサービスリストを登録すべきエリアをユーザに選択させる第２選択手段、
同一エリアが存在しないが空エリアが存在している場合には、今回作成したサービスリストを登録すべきエリアを、空エリア内から選択するか、エリアリスト内の全てのエリア内から選択するかをユーザに決定させるための選択項目を表示させ、ユーザによって選択された選択項目に適合したエリアのリストを表示させ、そのリストからユーザに１つのエリアを選択させることにより、今回作成したサービスリストを登録すべきエリアをユーザに選択させる第３選択手段、ならびに
同一エリアが存在せずかつ空エリアも存在しない場合には、今回作成したサービスリストを登録すべきエリアをエリアリスト内の全てのエリア内から選択させるためのエリアのリストを表示させ、そのリストからユーザに１つのエリアを選択させることにより、今回作成したサービスリストを登録すべきエリアをユーザに選択させる第４選択手段、
を備えていることを特徴とする請求項１に記載の携帯型地上波デジタル放送受信機。
【請求項３】
第１手段によって放送波から複数のエリア情報が取得された場合には、基地情報またはＧＰＳ機能による経度緯度情報を用いて、第１手段によって取得された複数のエリア情報に対して携帯型地上波デジタル放送受信機の現在位置に近い方から順に優先順位を付ける手段を備えていることを特徴とする請求項１および２のいずれかに記載の携帯型地上波デジタル放送受信機。
【発明の詳細な説明】
【技術分野】
【０００１】
この発明は、地上波デジタル放送を受信する機能を備えた携帯型電話機等の携帯型地上デジタル放送受信機に関する。
【背景技術】
【０００２】
携帯型地上波デジタル放送受信機では視聴地域が頻繁に変化することがあるため、チャンネルスキャン（１３チャンネルから６２チャンネルまでの順次スキャン）によって作成した受信可能なサービスリスト（受信可能な放送局とその周波数からなるリスト）をエリア（地域）毎に複数持つことが考えられる。また、放送局によって放送開始時期が異なることや、建物等の障害物の影響でチャンネルスキャンに受信できないことがあるため、チャンネルスキャンを複数回行なうことにより、同じエリアのサービスリストを複数登録してしまうことも考えられる。
【０００３】
従来、チャンネルスキャンを開始する場合には、ユーザは、まず、エリアリストからサービスリストを登録すべきエリアを選択し、その後にチャンネルスキャンを開始させる。チャンネルスキャンにより生成されたサービスリストは、エリアリストから予め選択したエリアに登録される。
【０００４】
しかしながら、スキャンにより得られたサービスリストに対応するエリアが予め選択したエリアと異なっていた場合、予め選択したエリア以外のエリアのサービスリストとして残しておきたくても、他のエリアを選択することができない。他のエリアのサービスリストとして登録させたい場合には、もう一度、エリアリストからエリアを選択した後、チャンネルスキャンを行なう必要があるが、チャンネルスキャンには時間がかかるとともにバッテリーも消耗してしまう。
【発明の開示】
【発明が解決しようとする課題】
【０００５】
この発明は、チャンネルスキャンが行なわれた後に、それによって作成されたサービスリストを登録すべきエリアを選択できるようになる携帯型地上波デジタル放送受信機を提供することを目的とする。
【課題を解決するための手段】
【０００６】
請求項１に記載の発明は、チャンネルスキャンを行ってサービスリストを作成するとともにエリア情報を取得する第１手段、チャンネルスキャンが完了した後に、今回作成したサービスリストを登録すべきエリアを、ユーザに選択させるための選択画面を表示する第２手段、ならびに今回作成したサービスリストを、ユーザによって選択されたエリアに対応するサービスリストとして登録させる第３手段を備えていることを特徴とする携帯型地上波デジタル放送受信機。
【０００７】
請求項２に記載の発明は、請求項２に記載の発明において、第２手段は、エリアリストを記憶した記憶手段、第１手段によって取得したエリア情報と同一のエリアのリスト（同一エリア）がエリアリスト内に存在するか否かを判別する第１判別手段、エリアリストのうち、サービスリストが登録されていないエリア（空エリア）が存在するか否かを判別する第２判別手段、同一エリアが存在しかつ空エリアが存在している場合には、今回作成したサービスリストを登録すべきエリアを、同一エリア内から選択するか、空きエリア内から選択するか、エリアリスト内の全てのエリア内から選択するかをユーザに決定させるための選択項目を表示させ、ユーザによって選択された選択項目に適合したエリアのリストを表示させ、そのリストからユーザに１つのエリアを選択させることにより、今回作成したサービスリストを登録すべきエリアをユーザに選択させる第１選択手段、同一エリアが存在するが空エリアが存在していない場合には、今回作成したサービスリストを登録すべきエリアを、同一エリア内から選択するか、エリアリスト内の全てのエリア内から選択するかをユーザに決定させるための選択項目を表示させ、ユーザによって選択された選択項目に適合したエリアのリストを表示させ、そのリストからユーザに１つのエリアを選択させることにより、今回作成したサービスリストを登録すべきエリアをユーザに選択させる第２選択手段、同一エリアが存在しないが空エリアが存在している場合には、今回作成したサービスリストを登録すべきエリアを、空エリア内から選択するか、エリアリスト内の全てのエリア内から選択するかをユーザに決定させるための選択項目を表示させ、ユーザによって選択された選択項目に適合したエリアのリストを表示させ、そのリストからユーザに１つのエリアを選択させることにより、今回作成したサービスリストを登録すべきエリアをユーザに選択させる第３選択手段、ならびに同一エリアが存在せずかつ空エリアも存在しない場合には、今回作成したサービスリストを登録すべきエリアをエリアリスト内の全てのエリア内から選択させるためのエリアのリストを表示させ、そのリストからユーザに１つのエリアを選択させることにより、今回作成したサービスリストを登録すべきエリアをユーザに選択させる第４選択手段を備えていることを特徴とする。
【０００８】
請求項３に記載の発明は、請求項３１乃至２に記載の発明において、第１手段によって放送波から複数のエリア情報が取得された場合には、基地情報またはＧＰＳ機能による経度緯度情報を用いて、第１手段によって取得された複数のエリア情報に対して携帯型地上波デジタル放送受信機の現在位置に近い方から順に優先順位を付ける手段を備えていることを特徴とする。
【発明の効果】
【０００９】
この発明によれば、チャンネルスキャンが行なわれた後に、それによって作成されたサービスリストを登録すべきエリアを選択できるようになる。
【発明を実施するための最良の形態】
【００１０】
以下、図面を参照して、この発明を地上波デジタル放送を受信する機能を備えた携帯型電話機に適用した場合の実施例について説明する。
【実施例１】
【００１１】
図１は、地上波デジタル放送を受信する機能を備えた携帯型電話機の電気的構成を示している。
この携帯型電話機は、電話機能部２０と、テレビ放送受信機能部３０と、これらの機能部２０、３０を制御するＣＰＵ１０を備えている。ＣＰＵ１０には、各種キーを含む操作部１１、フラッシュメモリ１２等が接続されている。
【００１２】
電話機能部２０について説明する。電話通信用アンテナ２１によって受信された信号は、無線回路２２を介して信号処理回路２３に供給されて、デジタル受話信号が復調される。デジタル受話信号は、ＡＤ／ＤＡ変換器２４によってアナログ受話信号に変換される。アナログ受話信号は、第１増幅器２５によって増幅された後、スピーカ２６に送られる。      
【００１３】
マイクロフォン２８に入力された送話信号は、第２増幅器２７によって増幅された後、ＡＤ／ＤＡ変換器２４によってデジタル送話信号に変換される。デジタル送話信号は、信号処理回路２３に送られて、変調を受ける。変調を受けた送話信号は、無線回路２２を経て電話通信用アンテナ２１から送出される。
【００１４】
テレビ放送受信機能部３０について説明する。テレビ放送受信用アンテナ３１によって受信された地上波デジタル放送の放送波は、チューナ３２によってチューニングされ、これによって得られた携帯通信端末装置向けの放送信号は、一旦バッファメモリ３３に格納された後、デマルチプレクサ３４に供給される。
【００１５】
デマルチプレクサ３４では、入力された携帯通信端末装置向けの放送信号から、ユーザによって指定されている番組データが抽出される。また、伝送情報（ＴＭＣＣ：Transmission and Multiplenxing Configuration Control) やサービス情報が抽出されてＣＰＵ１０に送られる。伝送情報（ＴＭＣＣ）およびサービス情報は、フラッシュメモリ１２に記憶される。デマルチプレクサ３４によって抽出された番組データは、ＡＶセレクタ３５に供給され、映像データと音声データとが分離される。
【００１６】
ＡＶセレクタ３５によって分離された音声信号は、オーディオデコーダ３６に供給されてＭＰＥＧデコードされた後、アナログ音声信号に変換されてスピーカ３７に供給される。
【００１７】
ＡＶセレクタ３５によって分離された映像信号は、ビデオデコーダ３８に供給されてＭＰＥＧデコードされた後、ディスプレイ（表示器）３９に送られる。また、ディスプレイ３９に表示すべきキャラクタおよびグラフックス（アイコンを含む）を生成するためのキャラクタ・グラフィックスジェネレータ４０によって生成された信号がディスプレイ３９に送られる。
【００１８】
フラッシュメモリ１２内には、サービスリストを登録できる各エリア名が格納されているエリアリスト記憶領域と、各エリア毎にサービスリストを登録するサービスリスト記憶領域が設けられている。
【００１９】
図２はエリアリストの一例を示し、図３はエリアリスト内のエリア”大阪”に対して登録されたサービスリストの一例を示している。
【００２０】
図４は、ＣＰＵ１０がテレビ放送受信機能部３０を利用して行なうチャンネルスキャン処理手順を示している。
【００２１】
チャンネルスキャン指令が入力されると（ステップＳ１）、チャンネルスキャンを開始する（ステップＳ２）。チャンネルスキャンが終了すると（ステップＳ３）、サービスリストを作成して表示器３９に表示するとともに（ステップＳ４）、放送波からエリア情報（地域識別番号による県域情報および広域情報）を取得する（ステップＳ５）。
【００２２】
なお、フリンジエリア内でチャンネルスキャンを行なった場合には、放送波から複数の地域識別番号が取得される場合がある。このような場合には、携帯型電話機の基地情報、ＧＰＳ機能による経度緯度情報を用いて、放送波から得られた複数のエリア情報に対して携帯型電話機の現在位置に近い方から順に優先順位を付ける。
【００２３】
次に、フラッシュメモリ１２内のエリアリスト記憶領域に記憶されたエリアリスト内に、上記ステップＳ３で取得されたエリア情報と同じエリア名（同一エリア）が存在するか否かを判定するとともに、サービスリストが登録されていないエリア名（空エリア）が存在するか否かを判定する（ステップＳ６）。この際、同一エリアが存在する場合には、そのエリアを特定する。また、空エリアが存在する場合には、そのエリアを特定する。
【００２４】
同一エリアが存在しかつ空エリアが存在すると判定した場合には（ステップＳ７）、図５に示すように、今回作成したサービスリストを登録するエリアを選択させるために、表示器３９に  ”同一エリア”、”空エリア”および”その他”の選択項目を表示する（ステップＳ８）。そして、ステップＳ１５に移行する。この場合、ユーザは、３つの選択項目（”同一エリア”、”空エリア”および”その他”）から１つの選択項目を選択することが可能となる。
【００２５】
同一エリアは存在するが、空エリアが存在しないと判別した場合には（ステップＳ９）、図６に示すように、今回作成したサービスリストを登録するエリアを選択させるために、表示器３９に”同一エリア”および”その他”の選択項目を表示する（ステップＳ１０）。そして、ステップＳ１５に移行する。この場合、ユーザは、２つの選択項目（”同一エリア”および”その他”）から１つの選択項目を選択することが可能となる。
【００２６】
同一エリアは存在しないが、空エリアが存在すると判別した場合には（ステップＳ１１）、図７に示すように、今回作成したサービスリストを登録するエリアを選択させるために、表示器３９に”空エリア”および”その他”の選択項目を表示する（ステップＳ１２）。そして、ステップＳ１５に移行する。この場合、ユーザは、２つの選択項目（”空エリア”および”その他”）から１つの選択項目を選択することが可能となる。
【００２７】
同一エリアが存在せず、かつ空エリアも存在しないと判別した場合には（ステップＳ１３）、図８に示すように、今回作成したサービスリストを登録するエリアを選択させるために、表示器３９に”その他”の選択項目を表示する（ステップＳ１４）。そして、ステップＳ１５に移行する。この場合、ユーザは、１つの選択項目（”その他”）のみ選択可能となる。
【００２８】
ステップＳ１５では、ユーザによる選択操作に基づく登録エリア決定処理が行なわれる。つまり、選択項目”同一エリア”がユーザによって選択された場合には、エリアリストのうち、上記ステップＳ４で取得したエリア名と同一のエリア名を表示器３９に表示する。この際、同一のエリア名が複数存在する場合には、優先順位の高い順（携帯型電話機の現在位置に近い順）にエリア名をリスト表示する。そして、表示されたエリア名のうちユーザによって選択された１つのエリアがサービスリスト登録エリアとして決定される。
【００２９】
選択項目”空エリア”が選択された場合には、サービスリストが登録されていないエリア名を表示器３９にリスト表示する。そして、表示されたエリア名のうちユーザによって選択された１つのエリアがサービスリスト登録エリアとして決定される。
【００３０】
選択項目”その他”が選択された場合には、エリアリスト記憶領域に記憶されている全てのエリア名を表示器３９に表示する。表示されたエリア名のうちユーザによって選択された１つのエリアがサービスリスト登録エリアとして決定される。
【００３１】
ステップＳ１５の処理によって、サービスリスト登録エリアが決定されると、今回作成したサービスリストを、そのエリアに対応するサービスリストとして登録する（ステップＳ１６）。
【００３２】
上記実施例では、放送波から複数の地域識別番号が取得された場合に、携帯型電話機の基地情報、ＧＰＳ機能による経度緯度情報を用いて、放送波から得られた複数のエリア情報に対して携帯型電話機の現在位置に近い方から順に優先順位を付けているが、このような順位をつけなくてもよい。
【図面の簡単な説明】
【００３３】
【図１】図１は、地上波デジタル放送を受信する機能を備えた携帯型電話機の電気的構成を示すブロック図である。
【図２】図２はエリアリストの一例を示す模式図である。
【図３】図３はエリアリスト内のエリア”大阪”に対して登録されたサービスリストの一例を示す模式図である。
【図４】図４は、ＣＰＵ１０がテレビ放送受信機能部３０を利用して行なうチャンネルスキャン処理手順を示すフローチャートである。
【図５】エリアリスト記憶領域に上記ステップＳ４で取得されたエリア情報と同じエリアのリストが存在し、かつ空エリアが存在すると判別した場合に、表示器に表示される選択項目を示す模式図である。
【図６】エリアリスト記憶領域に上記ステップＳ４で取得されたエリア情報と同じエリアのリストが存在するが、空エリアが存在しないと判別した場合に、表示器に表示される選択項目を示す模式図である。
【図７】エリアリスト記憶領域に上記ステップＳ４で取得されたエリア情報と同じエリアのリストが存在しないが、空エリアが存在すると判別した場合に、表示器に表示される選択項目を示す模式図である。
【図８】エリアリスト記憶領域に上記ステップＳ４で取得されたエリア情報と同じエリアのリストが存在せず、かつ空エリアも存在しないと判別した場合に、表示器に表示される選択項目を示す模式図である。
【符号の説明】
【００３４】
２０  電話機能部
３０  テレビ放送受信機能部
１０  ＣＰＵ
１１  操作部
１２  フラッシュメモリ
３２  チューナ
３４  デマルチプレクサ
３９  表示器
【図１】
2006325032.tif 000003
【図２】
2006325032.tif 000004
【図３】
2006325032.tif 000005
【図４】
2006325032.tif 000006
【図５】
2006325032.tif 000007
【図６】
2006325032.tif 000008
【図７】
2006325032.tif 000009
【図８】
2006325032.tif 000010